(57)【要約】【課題】日常的には、所望の使用に適したデザインを示し、かつ、津波や河川の氾濫などの水害が発生してベッドが水に浸水したとき、人を乗せた状態で水に浮かぶことのできる浮き袋付きベッド、ベッド用浮き袋、および浮き袋付きマット被覆体を提供する。【解決手段】ベッド本体２と、ベッド本体２に装備された袋体３と、を備える浮き袋付きベッド１であって、袋体３に気体を吹き込むことによって袋体３を浮き袋４となし、これにより浮き袋付きベッド１の比重が下がり、人が乗った状態のベッド本体２を水に浮かせることを可能とする。【選択図】図１
2014113439.tif 000002
【特許請求の範囲】
【請求項１】
ベッド本体と、
前記ベッド本体に装備された袋体と、を備える浮き袋付きベッドであって、
前記袋体に気体を吹き込むことによって当該袋体を浮き袋となし、
これにより前記浮き袋付きベッドの比重が下がり、前記ベッド本体に人が乗った状態で水に浮くことを特徴とする浮き袋付きベッド。
【請求項２】
前記ベッド本体はマットを備え、
前記袋体が前記マットに沿って備えられていることを特徴とする請求項１に記載の浮き袋付きベッド。
【請求項３】
前記ベッド本体は前記マットおよび前記袋体を被覆する被覆体を備える請求項２に記載の浮き袋付きベッド。
【請求項４】
前記ベッド本体は前記マットを被覆する被覆体を備え、
前記被覆体は前記マットを収納するマット収納室と、内部の気体を密閉可能な気体挿入室と、を有し、
前記気体挿入室は気体を吹き込まれることによって前記浮き袋となる前記袋体である請求項２に記載の浮き袋付きベッド。
【請求項５】
前記袋体を前記浮き袋となしたとき、
前記浮き袋付きベッドは、前記ベッド本体の少なくとも一部と前記浮き袋とを備え、当該ベッド本体に人が乗った状態で水に浮く請求項３または４に記載の浮き袋付きベッド。
【請求項６】
前記袋体を前記浮き袋となしたとき、
前記浮き袋で囲まれてなる面に不透水性の部材により構成される床部が設けられている請求項３から５のいずれか一項に記載の浮き袋付きベッド。
【請求項７】
前記被覆体は前記床部を含み、前記床部の外縁において前記被覆体と前記浮き袋とが接合されている請求項６に記載の浮き袋付きベッド。
【請求項８】
前記被覆体は、前記袋体を収納する袋体収納室および前記マットを収納するマット収納室を備える請求項３、５から７のいずれか一項に記載の浮き袋付きベッド。
【請求項９】
前記袋体収納室は前記袋体と前記袋体収納室の外部とを遮蔽する壁部を有し、
前記壁部は前記袋体を前記浮き袋となすとき前記浮き袋の膨張方向を開放する開放部を有する請求項８に記載の浮き袋付きベッド。
【請求項１０】
ベッド本体を構成するマットを被覆する被覆体であって、
前記マットを収納するマット収納室と、袋体を収納する袋体収納室と、を有し、
前記袋体は、気体が吹き込まれることによって膨張して浮き袋となり、
前記浮き袋を備える前記被覆体の上に人が乗った状態で水に浮くことを特徴とする浮き袋付きマット被覆体。
【請求項１１】
ベッド本体を構成するマットを被覆する被覆体であって、
前記マットを収納するマット収納室と、内部の気体を密閉可能な気体挿入室と、を有し、
前記気体挿入室に気体を吹き込まれることによって前記気体挿入室が浮き袋となり、
前記浮き袋を備える前記被覆体の上に人が乗った状態で水に浮くことを特徴とする浮き袋付きマット被覆体。
【請求項１２】
前記ベッド本体は、ベッドフレームを備え、
前記袋体が、前記ベッドフレームに装備されていることを特徴とする請求項１に記載の浮き袋付きベッド。
【請求項１３】
前記袋体は、前記ベッド本体の側周の同じ高さを取り囲む位置で連続的または断続的に備えられており、
前記浮き袋が、前記ベッド本体の前記側周を連続的または断続的に取り囲むことを特徴とする請求項１または１２に記載の浮き袋付きベッド。
【請求項１４】
前記ベッド本体が縦長の形状であって、
前記浮き袋は、前記ベッド本体の長辺から外方向への張り出し幅が、前記ベッド本体の短辺から外方向への張り出しより大きいことを特徴とする請求項１、１２、１３のいずれか一項に記載の浮き袋付きベッド。
【請求項１５】
前記浮き袋が、前記ベッド本体の前記側周を取り囲む一連のリング形状であり、
前記ベッド本体は、人が横たわるための床面を備えており、
前記浮き袋の頂点が、前記床面より上位に位置することを特徴とする請求項１、１２から１４のいずれか一項に記載の浮き袋付きベッド。
【請求項１６】
前記ベッド本体は、ベッドフレームを備えており、
前記ベッドフレームに直接または間接に連続して設けられて前記ベッド本体を支持する複数の脚部を有し、
前記脚部の下端には回転車が設けられていることを特徴とする請求項１、１２から１５のいずれか一項に記載の浮き袋付きベッド。
【請求項１７】
前記脚部は、折り曲げ可能なもしくは分離可能な関節部を有し、前記関節部は、非折り曲げ状態もしくは非分離状態を維持可能とする固定手段を備え、上記固定手段の解除によって、折り曲げ可能もしくは分離可能とすることを特徴とする請求項１６に記載の浮き袋付きベッド。
【請求項１８】
前記ベッド本体は、ベッドフレームを備えており、
前記ベッド本体は、前記ベッドフレームの一部により区画される床面領域を含み、前記床面領域内面あるいは前記床面領域上に前記床面を備えており、
前記床面領域は、下面側から不透水性シートにより覆われており、
前記袋体は、前記不透水性シートの周縁部に設けられており、
前記不透水性シート、または前記不透水性シートおよび膨張した前記浮き袋で前記床面領域全面が被覆されることを特徴とする請求項１、１２から１７のいずれか一項に記載の浮き袋付きベッド。
【請求項１９】
前記脚部が前記不透水性シートよりも下方に突出して設けられており、
前記脚部と前記不透水性シートとが水密に接続されていることを特徴とする請求項１６または１７を引用する、請求項１８に記載の浮き袋付きベッド。
【請求項２０】
手動動作を感知し電気信号を発信する電気信号発信手段と、前記電気信号を感知することによって作動する点火手段と、前記点火手段の作動により気体を準備する気体準備手段を備え、
前記袋体に、前記気体準備手段により準備された気体を吹き込むことによって浮き袋となすことを特徴とする請求項１、１２から１９のいずれか一項に記載の浮き袋付きベッド。
【請求項２１】
ベッド本体に取り付けられる浮き袋であって、
前記ベッド本体に取り付けられるための取り付け部を有し、
気体が吹き込まれることによって内部に当該気体の充満する膨張状態となり、
これにより前記ベッド本体の比重を下げ、人が乗った状態の前記ベッド本体を水に浮かべることを可能とすることを特徴とするベッド用浮き袋。
【請求項２２】
ベッドフレームを備え、且つ、前記ベッドフレームの一部により区画される床面領域を含む前記ベッド本体に取り付けられるための前記浮き袋であって、
前記床面領域の下面を覆うための不透水性シートを備え、前記不透水性シートの周縁部に前記浮き袋が設けられており、
前記不透水性シート、または前記不透水性シートおよび膨張した前記浮き袋で前記床面領域全面を被覆可能であることを特徴とする請求項２１に記載のベッド用浮き袋。
【発明の詳細な説明】
【技術分野】
【０００１】
本発明は、津波や洪水などの水害発生時にベッド上が避難スペースとなることを可能とする、浮き袋付きベッド、ベッド用浮き袋、および浮き袋付きマット被覆体に関する。
【背景技術】
【０００２】
従来、洪水等の水害時における緊急避難用の手段としてのベッドが開発されている。この種の技術に関し、下記特許文献１には、マット部材と、マット部材の幅方向の下部の両側に設けられ、平面視にて矩形形状の脚部を備えたベッドが開示されている。特許文献１に開示のベッドは、さらに、両側の脚部の間でマット部材の下面に設けた舟形形状の浮力部と、マット部材の上方を覆うシェルタ部と、を備えている。そして上記ベッドは、幅方向断面において両側の脚部とマット部材と舟形形状の浮力部とからＭ字形状をなすということが開示されている。尚、舟形形状の浮力部は、発泡樹脂材や、空気袋（浮き袋）などで構成されてよいことが特許文献１に記載されている。
特許文献１によれば、開示されるベッドは、平時は一般的なベッドとして使用されるが、水害などで家屋が浸水したときは、浮力部により確実に水面に浮かぶと説明されている。また断面Ｍ字形状をなすことにより、ベッドが水面に浮かんだときに横揺れを少なく安定させることができる、と説明されている。
【先行技術文献】
【特許文献】
【０００３】
【特許文献１】特開２００７−２２２３２０号公報
【発明の概要】
【発明が解決しようとする課題】
【０００４】
しかしながら、特許文献１に開示のベッドは、浮力や水面に浮かんだ時の安定性を確保するために、その形状が限定されてしまうという問題があった。したがって一般的なベッドとしての使用の観点からは、ベッド自体のデザイン性や機能性において充分に満足できない場合があった。
特に、マット部材の下面に舟形形状の浮力部が設けられているため、マット部材の下面に他の物を設置したい場合に物理的な弊害を引き起こす場合があった。また、ベッドの脚部が平面視にて矩形形状に限定されているため、それ以外の脚部の形状のベッドには適用することができなかった。
【０００５】
本発明は上述のような課題に鑑み、津波や河川の氾濫などのベッドが浸水し得る水害全般（以下、単に「水害」ともいう）を勘案し、なされたものである。即ち、日常的には、所望の使用に適したデザインを示し、かつ、水害発生時に水に浸水したとき、人を乗せた状態で水に浮かぶことのできる浮き袋付きベッドを提供することを目的とする。
また本発明は、所望の使用に適したデザインのベッドに対し、水害発生時に水に浸水したとき、人を乗せた状態の当該ベッドを水に浮かばせることのできるベッド用浮き袋を提供するものである。
また本発明は、既存のマットを備えるベッド本体に後付することによって、浮き袋付きベッドをなすことが可能な浮き袋付きマット被覆体を提供するものである。
【課題を解決するための手段】
【０００６】
本発明の浮き袋付きベッドは、ベッド本体と、前記ベッド本体に装備された袋体と、を備える浮き袋付きベッドであって、前記袋体に気体を吹き込むことによって当該袋体を浮き袋となし、これにより前記浮き袋付きベッドの比重が下がり、前記ベッド本体に人が乗った状態で水に浮くことを特徴とする。
【０００７】
また本発明のベッド用浮き袋は、ベッド本体に取り付けられる浮き袋であって、前記ベッド本体に取り付けられるための取り付け部を有し、気体が吹き込まれることによって内部に当該気体の充満する膨張状態となり、これにより前記ベッド本体の比重を下げ、人が乗った状態の前記ベッド本体を水に浮かべることを可能とすることを特徴とする。
【０００８】
また本発明の浮き袋付きマット被覆体は、ベッド本体を構成するマットを被覆する被覆体であって、前記マットを収納するマット収納室と、袋体を収納する袋体収納室と、を有し、前記袋体は、気体が吹き込まれることによって膨張して浮き袋となり、前記浮き袋を備える前記被覆体の上に人が乗った状態で水に浮くことを特徴とする。
また本発明の異なる態様の浮き袋付きマット被覆体は、ベッド本体を構成するマットを被覆する被覆体であって、前記マットを収納するマット収納室と、内部の気体を密閉可能な気体挿入室と、を有し、前記気体挿入室に気体を吹き込まれることによって前記気体挿入室が浮き袋となり、前記浮き袋を備える前記被覆体の上に人が乗った状態で水に浮くことを特徴とする。
【発明の効果】
【０００９】
本発明の浮き袋付きベッドは、ベッド本体に袋体が装備されている。気体が吹き込まれる前の上記袋体は浮き袋の体をなしていない。そのため袋体を浮き袋となす前の状態においては、本発明の浮き袋付きベッドは、当該浮き袋によってベッド本体のデザイン性が損なわれ難い。また袋体を浮き袋となす前の状態においては、本発明の浮き袋付きベッドは、当該浮き袋が物理的な障害とならないか、あるいはその程度が従来に比べ低減される。
したがって本発明の浮き袋付きベッドは、通常時はベッド本体のデザイン性を大きく損なうことがない。そして水害発生時には袋体を浮き袋とし、人が乗った状態のベッド本体を水に浮かべることを可能とする。
【００１０】
また本発明のベッド用浮き袋は、気体が吹き込まれる前の状態でベッド本体に取り付けることが可能である。したがって本発明のベッド用浮き袋をベッドに取り付けたとき、ベッド本体のデザイン性を損ない難い。一方、本発明のベッド用浮き袋は、気体が吹き込まれることによって内部に気体の充満する膨張状態となり、水中におけるベッド本体の比重を下げることができる。したがって本発明の実施により、人が乗った状態のベッド本体を水に浮かべることが可能である。
【００１１】
また本発明の浮き袋付きマット被覆体は、既存のベッド本体を構成するマットに後付することによって、通常はマットカバーなどの被覆体として利用することができ、津波発生などの災害時には、浮き袋付きベッドを提供することができる。
【図面の簡単な説明】
【００１２】
【図１】（１Ａ）〜（１Ｃ）は、本発明の第一実施形態にかかる浮き袋付きベッド一例を示す斜視図である。
【図２】第一実施形態にかかる袋体の上面図である。
【図３】（３Ａ）は、第一実施形態にかかる袋体が床面フレームの側面に装備されている状態を示す断面図であり、（３Ｂ）は、袋体が床面フレームの内部に装備されている状態を示す断面図である。
【図４】（４Ａ）は、第二実施形態にかかる脚部の折曲げ可能な関節部を説明するための説明図であり、（４Ｂ）は、第二実施形態にかかる脚部の分離可能な関節部を説明するための説明図である。
【図５】第三実施形態にかかる袋体の一例を示す上面図である。
【図６】第三実施形態にかかる脚部と不透水性シートとの接続部における水密構造の一例を示す断面図である。
【図７】第四実施形態にかかる袋体および床面フレームを説明する説明図である。
【図８】第五実施形態にかかる本発明のベッドの斜視図である。
【図９】（９Ａ）は第八実施形態にかかる本発明のベッドの斜視図であり、（９Ｂ）は第八実施形態にかかる本発明のベッドの裏面図である。
【図１０】（９Ａ）に示す本発明のベッドの断面図であり、袋体に気体が挿入されていない状態を示す。
【図１１】第八実施形態におけるマットカバーを上部と下部に切り離した状態の斜視図である。
【図１２】（９Ａ）に示す本発明のベッドの断面図であり、袋体に気体が挿入されて浮き袋をなす状態を示す。
【図１３】第八実施形態にかかる本発明のベッドの使用の例を説明する斜視図であり、（１３Ａ）はベッドとしての使用状態を示し、（１３Ｂ）はマットカバーを上部と下部に切り離し袋体に気体を挿入するときの状態を示し、（１３Ｃ）は袋体に気体を挿入して浮き袋となしたときの状態を示す。
【発明を実施するための形態】
【００１３】
本発明の浮き袋付きベッド（以下、単に「本発明のベッド」という場合がある）は、通常時は、気体が吹き込まれる前の袋体がベッド本体に装備されている。以下、この状態を第一の状態ともいう。第一の状態では、ベッド本体に人が乗った状態で水に浮かぶ機能を有していなくてよい。第一の状態である本発明のベッドの実施は、本発明のベッドが通常時は出来る限りベッド本体のデザインおよび機能が尊重されること等を趣旨とする。
次に上記袋体に気体を吹き込むことによって当該袋体を浮き袋となすことができる。以下、この状態を、本発明の浮き袋付きベッドの第二の状態ともいう。第二の状態では、当該浮き袋の存在により、人が乗った状態のベッド本体は水に浮かぶことが可能である。第二の状態は、人間がベッド本体上にて水害から避難可能とすることを趣旨とする。
即ち、本発明のベッドは、装備される袋体が気体で膨張されているか否かによって２つの状態をとることができる。
【００１４】
本発明において人が乗った状態のベッド本体が水に浮くとは、人間が乗ったベッドが水に浸かったとき、水から受ける浮力と人が乗った状態のベッド本体の合計重量とが釣り合うことを意味する。上記合計重量には浮き袋の重量も含まれる。
また、本発明においていう「水」とは海水、または海水および真水を含む。したがって、本発明の浮き袋付きベッドは、海水のみに浮くもの、ならびに、海水および真水に浮くものを包含する。本発明の浮き袋付きベッドの使用が、海に近い場所であるか川に近い場所であるかなどを勘案して、いずれのタイプが選択されてもよい。種々の水害に対応するという観点では、本発明の望ましい態様は、海水および真水のいずれにも浮かぶものである。
【００１５】
本発明者は、水害時にベッド利用者の避難について種々の検討を行った。そして水害発生時、ベッド利用者が自らベッドから降りて避難することが困難なケースに着眼した。またこのようなケースについての具体的な対策がいまだ充分でないこともわかった。
【００１６】
たとえば病院施設や介護施設などの多数のベッドが存在する環境において、緊急の水害に対しベッド上にいるベッド利用者全員の安全確保が困難な場合がある。もちろん一般家庭においても、水害発生時のベッド利用者の自主的な避難は、上記と同様に困難な場合がある。
加えて、介護者がベッド利用者を救助しようとする間に津波や川の氾濫に巻き込まれ、当該介護者までもが人命を落とすケースも存在する。
したがって本発明者は、水害発生時に自らベッドから降りて避難が困難な人間がベッド上にいるとき、ベッド自体を避難場所とするという考えに至った。また、ベッドの使用環境によっては、ベッド利用者のみならず介護者もベッド上に乗った状態で、ベッド自体が避難場所となり得ることが望ましいという考えに至った。そして当該考えは、救助が来るまでの間の人命保護の観点で非常に有効であると認識し、本発明を完成するに至った。
【００１７】
以下に、図面を用いて本発明を実施するための態様を説明する。尚、すべての図面において、同様な構成要素には同様の符号を付し、重複する説明は適宜省略する。
【００１８】
［浮き袋付きベッド］
図１は、本発明のベッドの実施形態の一例を示す斜視図である。図１Ａおよび図１Ｂは、本発明のベッド１の第一の状態を示し、図１Ｃは、本発明のベッド１の第二の状態を示す。
【００１９】
ベッド１は、ベッド本体２と、ベッド本体２に装備された袋体３と、を備える浮き袋付きベッドである。袋体３に気体を吹き込むことによって袋体３を浮き袋４となし、これにより浮き袋付きベッド１の比重が下がり、ベッド本体２に人が乗った状態で水に浮くことを可能とする。
【００２０】
＜第一実施形態＞
はじめに、本実施形態の概略について説明する。ベッド本体２は、ベッドフレーム５と人が横になる床面を構成するマット６とを備える。ベッドフレーム５は、ベッド１の頭上部および足下部に設けられた柵部フレーム１１と、マット６の底面においてマット６を支持する床面フレーム１２とを有する。
【００２１】
袋体３は、ベッド本体２の任意の箇所に取り付けられ、あるいは固定され、ベッド本体２に装備されてよい。図１では、袋体３は、ベッド本体２に備わるベッドフレーム５に装備された態様を示す。かかる態様では、第二の状態における浮き袋４がベッド本体２に安定して支持固定され易いため好ましい。
袋体３あるいはマット６が、ベッドフレーム５に確実に固定されているときには、マット６に袋体３が装備されていてもよい。マットに袋体が装備された例は、後述にて第五実施例として示す。
【００２２】
図２に袋体３の上面図を示す。袋体３は、気体挿入部３ａと、取付ベルト７と、結束ベルト９と、気体挿入口１０とを備える。取付ベルト７は、面ファスナ７ａ、７ｂから構成されており、床面フレーム１２に巻きつけて袋体３をベッドフレーム５に装備するためのものである。ただし、取付ベルト７としては、面ファスナ以外の手段が採用されてもよい。
また本発明の趣旨を逸脱しない範囲において、袋体３がベッド本体２に装備される態様は、任意に決定されてよい。即ち、袋体３を後述する浮き袋４となして人間が乗った状態のベッド本体２を水に浮かばせたときに、浮き袋４がベッド本体２と分離することなく装備された状態が維持されていればよい。
【００２３】
結束ベルト９は、ベッド本体２と袋体３（あるいは浮き袋４）とを結束するためのベルトである。結束ベルト９の基端には、取付ベルト７が設けられている。したがって、結束ベルト９は、取付ベルト７を介して、本発明が第二の状態（すなわち図１Ｃの状態）となり、人間が乗った状態のベッド１が水に浮いたときに、浮き袋４とベッド本体２とを結束する。これによって、浮き袋４にかかる負荷が取付ベルト７の基端に集中することを防止することができる。結束ベルト９は、浮き袋４の膨張に伴い適度に伸びる伸縮可能な素材でできていてもよい。
【００２４】
図２において示されるとおり、ベッド１には、任意で、人体固定用ベルト２０が設けられてよい。人体固定用ベルト２０は、ベッド本体２の幅方向を亘る長さを有し、ベッド本体２に横たわる人間の上から当該幅方向に亘した状態で固定することができる。人体固定用ベルト２０によって人間が固定されることにより、ベッド１から人間が転落することを防止することができる。
図２では、袋体３の外周面から伸長する人体固定用ベルト２０ａ、２０ｂが設けられた態様を示す。人体固定用ベルト２０ａ、２０ｂは、袋体３の外周面にそれぞれの端部が固着されており、ベッド本体２の幅方向において対面する位置に設けられている。人体固定用ベルト２０ａ、２０ｂは、ベッド本体２の幅方向において重なりあう部分を有し、互いに固定することができる。固定する方法は特に限定されず、面ファスナ、バックル、対となるホックなど任意の固定手段を適宜選択してよい。尚、本発明において任意に設けられる人体固定用ベルト２０の態様は、上述に限定されるものではない。たとえば、人体固定用ベルト２０は、袋体３ではなくベッド本体２の任意の位置にとりつけられていてもよい。またベッド本体２の幅方向において一方側から伸長する１本の人体固定用ベルトを設け、当該人体固定用ベルトを当該幅方向の反対側に亘し、ベッド１における任意の箇所に固定可能に構成してもよい。図１Ａには、袋体３に一端が固着され、巻かれた状態で設けられた人体固定用ベルト２０ａを示す。また図１Ｃは、袋体３を浮き袋４となした状態で、人体固定用ベルト２０ａ、２０ｂが幅方向において重なりあって固定された状態を示す（ベッド本体２に横たわる人間は図示省略されている）。
【００２５】
また、図示省略するが、本発明のベッド１には、任意で２本のオールを装備していてもよい。尚、本明細書においてオールというときは、船を人力で推進させるための道具を広く包含し、たとえばパドル、櫂、橈などを含む。
上記オールは、たとえば収納部材８を、袋体３だけでなくオールをも収納できる形状および寸法で形成し、この中に収納されてもよい。あるいは、ベッド本体２の任意の位置であって袋体３の収納箇所とは別の箇所にオールを装備しておいてもよい。
オールをベッド１に装備する際には、当該オールの取り扱いを容易とするために、浮き袋４の長辺の任意の位置にオールを取り付けるための紐を設けておいてもよい。また従来公知のボートに倣い、浮き袋４の適切な位置にオールの支点となるリングなどの部材を設けておいてもよい。本発明のベッドが、ベッド利用者と介護者とを乗せて水に浮かせることを予定する態様の場合には、特に上記オールの装備は有効である。
【００２６】
袋体３がベッドフレーム５に装備された状態を説明するために図１Ａを示す。複数の取付ベルト７は、それぞれ床面フレーム１２に巻きつけられており、袋体３は、下方向に向かって垂下している。袋体３は、内部に気体が挿入されていないため、物理的に嵩がはらず、浮き袋４となしたときに比べて、使用者の邪魔にならない。
【００２７】
袋体３は、さらに折り畳んだ状態でベッド本体２に装備されてもよい。たとえば、図１Ｂに示すとおり、結束ベルト９とともに袋体３を折り畳んで収納部材８に袋体３に収納してもよい。ここで、収納部材８に収納された袋体３は、収納された状態においてベッド本体２に装備されていることが望ましい。図１Ｂでは、収納部材８は、床面フレーム１２の側面側においてベッド周面から外側方向に張り出す位置で設置されている。ただし袋体３の収納位置は、当該態様に限定されるものではない。例えば、収納部材８は、床面フレーム１２の下面側など、マット６の下面側に位置するよう設置されてもよい。
図３Ａは、袋体３が、取付ベルト７を床面フレーム１２に巻きつけてベッドフレーム５に取り付けられた上、収納部材８に収納された態様の断面図である。収納部材８は、折り畳まれた気体挿入部３ａを収納するとともに、収納部材８に設けられた取付部材８ａによって床面フレーム１２に取り付けられている。
また、袋体３の収納方法の態様はこれに限定されず、たとえば、床面フレーム１２を収納部材としてもよい。図３Ｂは、床面フレーム１２を床面フレーム１２ａ、１２ｂに分割し、内部を空洞化した上、ここに袋体３を収納した態様を示す断面図である。床面フレーム１２ａは、ベッドフレーム５と一体化されている。一方、床面フレーム１２ｂは、当接部１０１、１０２において、床面フレーム１２ａと当接しており、ベッドフレーム５から分離可能である。あるいは、当接部１０１、１０２のいずれか一方が開口し、かつ他方が蝶番とすることによって、床面フレーム１２ｂを可動に構成してもよい。袋体３は、接着部３ｂにおいて、床面フレーム１２ａの内面に固着されている。
本発明において、袋体３をベッド本体２に装備される態様は、上述の説明に限定されない。たとえば、袋体３を取付ベルト７によって床面フレーム１２に取り付け、かつ、垂下する気体挿入部３ａをベッド本体２の裏面側に沿わせて固定してもよい。
【００２８】
次に、本発明の第二の状態について図１Ｃを用いて説明する。図１Ｃは、図１Ａあるいは図１Ｂに示される袋体３に気体が吹き込まれることによって膨張させ、浮き袋４となした状態のベッド１の斜視図である。結束ベルト９は、浮き袋４を輪切りにしたときの外周よりも小さい径であるため、浮き袋４と密着し、かつ浮き袋４にくびれを形成する。
【００２９】
ベッド１は、第二の状態になったとき、ベッド本体２に人が乗った状態で水に浮くことが可能である。これは、ベッド本体２に装備された浮き袋４の存在により、ベッド１の比重が下がるためである。ベッド１の比重は、ベッド１の総重量を、ベッド本体２および浮き袋４を含むベッド１の全体積で除して求めることができる。浮き袋４は、人を乗せたときのベッド１の総重量を包含する充分な重量に対し水に浮くだけの比重の低下を与える気体容量を有する。ベッド１の総重量には、少なくとも、ベッド本体２の重量、袋体３の重量が含まれる。ベッド１の比重は、一人または複数人の人間を積載した状態で水に浮かぶことができる程度に小さい。したがってベッド使用者のみをベッド１上に乗せて当該ベッド１を浮かばせることを予定するのか、あるいは介護者も含め二人以上の人間をベッド１上に乗せて当該ベッド１を浮かばせることを予定するのかにより、上記比重を調整してよい。ここで、水とは、海水でも真水でもよい。すなわち、ベッド１の比重は、当該ベッド１の総重量と積載する予定の人間の重量との合計重量を、少なくとも塩水に浮かせることができる程度に低い。ベッド１の比重は、上記合計重量を、塩水よりも比重が小さい真水に浮かせることができる程度に低いことがさらに好ましい。上記人間の重量は、水害発生時にベッド１に積載させて避難させる予定人数分の成人体重総量を充分に包含する重量である。
ただし、ベッド本体２が浮き袋４とは異なる、水に浮かぶための任意の装備を有する場合などは、ベッド１の総重量とともに当該装備の性能も勘案して、浮き袋４の容量を決定してもよい。
尚、浮き袋４は、気体により膨張し緊張状態にあるため、長期間、この状態を維持しようとすると損傷や劣化を招きやすい。しかし本発明のベッドは上述のとおり、通常時は袋体３がベッドに装備され、水害発生時に浮き袋４なすため、良好な状態の浮き袋４を提供することが可能である。
【００３０】
第一の状態における袋体３は、ベッド本体２の側周の同じ高さを取り囲む位置で連続的に備えられている。そして第二の状態では、浮き袋４が、ベッド本体２の側周を連続的に取り囲んでいる。この結果、ベッド１は、バランス良く安定して水に浮かぶことが可能である。袋体３の形状を一連のリング形状とすることにより、ベッド本体２の周囲の連続的な取り囲みを容易に実現可能である。ここで、袋体３が一連のリング形状であるとは、袋体３の外形が閉環状であることをいう。袋体３の内部に、隔壁で互いに仕切られた複数の空気室が離間配置されている場合も、袋体３の外形が一続きの閉環状であるかぎり、袋体３は一連のリング形状である。
また、本発明の別の実施形態としては、袋体はベッド本体２の周囲の同じ高さを取り囲む位置で断続的に取り囲むものであってもよい。例えば球状の複数の袋体を準備し、これらをベッド本体２の周囲の同じ高さに装備させてもよい。このように袋体を複数装備させる態様によれば、これらを浮き袋となしたとき、いずれかの浮き袋に穴が空いた場合でも他の浮き袋で第二の状態を維持可能である。
【００３１】
袋体３をベッド本体に装備する際の取り付け高さは、特に限定されない。
本実施例では図１に示すとおり、ベッド１は、ベッド本体２の床面を構成するマット６を備えている。一方、袋体３は、ベッド本体２の側周を取り囲む一連のリング形状である。そして袋体３の取り付け高さを調整することによって、図１Ｃに示すとおり、浮き袋４の頂点が、マット６の上面より上位に位置せしめることができる。これによればマット６の周囲に浮き袋４からなる周壁を構成することができる。その結果、マット６に横たわる人が水に浮遊するがれき等に接触することを防止することができ、人体の安全確保のために好ましい。ここで、浮き袋４の頂点とは、ベッド１を立面視（正面視）した場合の浮き袋４の最高点をいう。
また図示しない別の実施態様において、浮き袋４の頂点がマット６の上面より下に位置するよう、袋体３の取り付け高さを調整してもよい。かかる態様によれば、マット６の周囲には浮き袋４からなる周壁が存在しないため、マット６と浮き袋４とによりなる凹部が構成されず、当該凹部に水が溜まるという虞がない。
【００３２】
気体挿入口１０から袋体３に吹き込む気体の種類は、特に限定されず、空気またはヘリウムガスのように空気より軽い浮揚用ガスなどであってよい。水害発生時には水面に種々の化学物質が浮遊する場合があるため、上記気体としては爆発性、引火性の影響の少ないものが選択されることが望ましい。
袋体３への気体の挿入方法は、気体挿入口１０から気体を挿入可能であるいずれかの方法より適宜選択してよい。たとえば、ゴムボートに気体を挿入して膨張させる方法と同様の方法により、袋体３へ気体を挿入してよい。
あるいは、水害発生時における避難の緊急性を鑑みると、電動の気体挿入機やガスボンベがベッドに装備されていると好ましい。また、より素早く、かつ少ない労力で、袋体３から浮き袋４となすためには、所謂エアバッグシステムなどの気体準備手段をベッド１に搭載することがより好ましい。ここで、気体を準備するとは、ガス発生剤と酸化剤とを反応させるなどして気体を化学的に生成することをいう。
即ち、ベッド１は、手動動作を感知し電気信号を発信する電気信号発信手段と、前記電気信号を感知することによって作動する点火手段と、前記点火手段の作動により気体を準備する気体準備手段を備えていてよい。そして、袋体３における気体挿入口１０に、準備された気体を気体挿入手段により吹き込むことによって浮き袋４となすことができる。簡易な手段により素早く袋体３を浮き袋４となすことにより、多数のベッド１を置く病院や施設において多数のベッド１を少ない人手で第一の状態から第二の状態へとなすことができる。上記手動動作は、たとえば、あらかじめ設けられたボタンなどを押し、あるいはプルリングをひっぱるなどの操作を行うことができるが、これに限定されない。手動動作を行うための部材は、ベッド１の任意の位置に設けられてよい。あるいは、無線で遠隔的に上記手動動作を行うよう構成してもよい。
【００３３】
上述する電動の気体挿入機、ガスボンベあるいは気体準備手段などの気体挿入用装備は、ベッド１の使用の目的により、ベッド１の任意の箇所に予め装備されていてよい。例えば、マット６の下方など、なるべく物理的に障害とならないところに設置してよい。あるいは、ベッド１から離れた位置に上記気体挿入用装備が準備され、当該気体挿入装備と気体挿入口１０とは気体流入管（図示せず）などにより連結されてもよい。
【００３４】
図２に示す気体挿入口１０は、袋体３に一箇所設けられている。しかし、気体挿入口１０は、複数箇所に設けられていてもよい。また袋体３は、連通する１つの袋より構成されているが、袋体３の内部に壁を設け、複数の気体挿入エリアを設け、これら全てに気体を挿入することによって袋体３を浮き袋４となす態様であってもよい。
【００３５】
尚、収納部材８は、袋体３から浮き袋４となす前に人為的に取り外してもよく、あるいは、袋体３が気体挿入により膨張する圧力によって外れるものであってもよい。また、図３Ｂに示す態様が採用される場合において第二の状態とするときには、手動または膨張する袋体３の圧力によって床面フレーム１２を開口させてよい。
【００３６】
次に、本発明のベッド１に備えられてよい脚部１３について説明する。上述のとおり、本実施形態におけるベッド本体２はベッドフレーム５を備えている。ベッドフレーム５は、直接または間接に連続して設けられてベッド本体２を床面に支持する複数の脚部１３を有している。また脚部１３の下端には回転車１４が設けられている。回転車１４は、ストッパー１５によって動作しないように固定されている。
回転車１４が設けられることによって、手押しで容易にベッド１を移動させることが可能である。したがって、水害発生時には、ベッド１を第一の状態のまま屋外に移動させ、その後に第二の状態となすことができる。このように、第一の状態で速やかに移動可能とし、屋外などの適切な場所において第二の状態にできるということは、本発明の実施において非常に有効である。
【００３７】
＜第二実施形態＞
次に本発明のベッドの第二実施形態について説明する。第二実施形態は、脚部が図４に示す関節部１０６を備える脚部３１であること以外は、第一実施形態と同様に実施される。
脚部３１は、折り曲げ可能な関節部１０６を有し、関節部１０６は、非折り曲げ状態を維持可能とする固定手段（図４における締め付け用ナット１０５に相当する）を備え、固定手段の解除によって、折り曲げ可能とすることができる。
具体的には脚部３１は、床面フレーム１２に直接に連続して設けられており、床面フレーム１２側の上側脚部３２と下側脚部３３とに分かれている。上側脚部３２と下側脚部３３とは、折り曲げ可能な関節部１０６により接続されている。折り曲げの度合は特に限定されないが、望ましくは９０度以上である。
【００３８】
図４Ａには関節部１０６を実施するためにボールジョイント構造を採用した例を挙げる。即ち、関節部１０６は、上側脚部３２の下端に設けられたボール部１０３と下側脚部３３の上端部に設けられたボール受け部１０４とが組み合わされている。ボール部１０３の動きによって、フレキシブルに下側脚部３３の折り曲げが可能である。
また関節部１０６は、さらにボール受け部１０４を覆う下側脚部３３の外側面に設けられた締め付け用ナット１０５を備えている。これによって、通常時は、締め付け用ナット１０５を締め付けて関節部１０６の角度を固定し、ベッド１を安定して支持することができる。また水害発生時においてベッド１を第二の状態とし水に浮かせる場合には、締め付け用ナット１０５を緩め、水中の障害物に脚部３１が接触しても当該障害物への引っ掛かりを防止する効果が発揮される。上記効果を充分に発揮するためには、関節部１０６は、脚部３１の縦方向２分の１より上であって、なるべく上端側に設けられていることが好ましい。
尚、本実施形態では関節部１０６の例としてボールジョイントの例を示したが、これに限定されるものではなく、所謂フレキシブルジョイントを含む種々の構造を適宜選択してよい。
【００３９】
あるいは、脚部３１は、分離可能な関節部１１３を有していてもよい。例えば図４Ｂに示すとおり、上側脚部３２の下端に凸部１１１を設け、下側脚部３３の上面に凸部１１１と嵌合するための凹部１１２を設けてよい。凸部１１１と凹部１１２とが勘合する任意の箇所に締め付け用ナット１０５を設け、凸部１１１、凹部１１２、締め付け用ナット１０５とにより関節部１１３を構成することができる。関節部１１３は、締め付け用ナット１０５を締め付けておくことにより、ベッド１の通常の使用時には下側脚部３３が容易に抜けることを防止することができる。一方、水害発生時には締め付け用ナット１０５を緩める。これによって、ベッド１が水に浮いたときには、下側脚部３３の自重によって、自然に水中に落下せしめることができる。尚、下側脚部３３を水中でスムーズに落下させるために、下側脚部３３の重量は水から受ける浮力に対して釣り合わず、沈降するための自重を有するよう形成されていることが好ましい。
【００４０】
上述において本発明における関節部は、脚部の任意の位置に設ける態様を示した。しかし本発明の趣旨を逸脱しない範囲において、関節部は、ベッドフレームと脚部との間に設けられてもよい。たとえば、図４Ａにおける上側脚部３２の下端に設けられたボール部１０３を、床面フレーム１２の下面に設け、下側脚部３３の上端に設けられたボール受け部１０４を脚部３１の上面に設けてもよい。あるいは、図４Ｂにおける上側脚部３２の下端に設けられた凸部１１１を、床面フレーム１２の下面に設け、下側脚部３３の上端に設けられた凹部１１２を脚部３１の上面に設けてもよい。もちろん、ベッドフレームと脚部との接続部に設けられた関節部においても、適宜、締め付け用ナット１０５を設けてよい。
【００４１】
＜第三実施形態＞
次に本発明のベッドの第三実施形態について説明する。本実施形態では、図１に示すベッド本体２に、図５に示す不透水性シート４２の周縁部に設けられた袋体３が装備される。
即ち、ベッド本体２は、ベッドフレーム５の一部である床面フレーム１２により区画される床面領域（図１では、マット６の下方領域に相当）を含み、床面領域上に床面であるマット６を備えている。本実施形態では、床面領域は、下面側から不透水性シート４２により覆われる。ここで袋体３は、不透水性シート４２の周縁部に位置している。そして第二の状態をなしたとき、床面領域全面は、不透水性シート４２、または不透水性シート４２および浮き袋４で被覆される。
【００４２】
上述する第三実施形態によれば、本発明のベッド１が第二の状態となり水に浮かんだとき、床面領域と水との接触が回避される。床面領域全面が不透水性シート４２に覆われる場合には、浮き袋４は、床面領域の外縁あるいはマット６の側面部に位置することになる。したがって、ちょうど浮き袋４と不透水性シート４２とから構成されるボート内に床面領域が存在する状態となり得る。この状態では、床面領域上方に横たわる人間と水と接触、および当該人間と水中に浮遊するがれきとの接触することが防止される。
一方、床面領域全面が不透水性シート４２および浮き袋４により被覆される場合には、不透水性シート４２および浮き袋４の上側に床面領域全面が存在することになる。これより、ちょうど、不透水性シート４２および浮き袋４とから構成される筏様体に床面領域が載る状態となり得る。したがって、床面領域上に横たわる人間と水との接触が防止される。
【００４３】
以上のとおり第三実施形態によれば、水に浮かぶベッド１に乗る人間は、水との接触を避けることができる。したがって、不透水性シート４２を有しない第一実施形態、第二実施形態に比べて避難時の環境がより好ましい。
【００４４】
脚部１３は不透水性シート４２よりも下方に突出して設けられている。そして、水に浮かぶベッド１に乗る人間が水と接触することを厳密に防止するため、脚部１３と不透水性シート４２とは水密に接続されている。具体的には、脚部１３と不透水性シート４２とは水密構造を介して互いに接続している。脚部１３を備えるベッド本体２に不透水性シート４２を設置する場合には、脚部１３は脚部接続位置４３において、不透水性シート４２と接続する。たとえば脚部接続位置４３を孔とし、当該孔に脚部１３を通す態様が想定される。しかしこのような態様では、当該穴部と脚部１３との接続箇所からの水漏れが問題となる場合がある。本実施形態は、当該接続箇所から床面領域方向に水漏れが生じないよう、当該箇所を水密構造とするものである。
【００４５】
上記水密構造は特に限定されない。たとえば不透水性シート４２における脚部接続位置４３に設けられた孔に脚部１３を通した後、水に不溶な接着剤で接続箇所を接着固定してもよく、あるいは、当該箇所をヒートシール部材などで溶融固定してもよい。
あるいは、図６に示すように、不透水性シート４２に脚部１３と床面フレーム１２とを間接的に接続するための接続部４５を、脚部接続位置４３に設けてもよい。図６は、接続部４５により床面フレーム１２と不透水性シート４２と脚部１３とが接続される部分を示す断面図である。接続部４５により脚部１３をベッド本体２へ間接的に接続する方法は以下のとおりである。即ち、接続部４５は、断面Ｈ型の形状を有し、上端面および下端面にそれぞれ凹部４６、４７を有する。また、床面フレーム１２には、間接的に脚部１３と連続する箇所に、嵌合壁４４が設けられる。
嵌合壁４４と凹部４６とは、互いに嵌合し、嵌合状態が維持されるよう構成される。例えば、嵌合壁４４の外周面と、凹部４６の内周面に互いに係り合う係止部をそれぞれ設けておき、嵌合時に係止部を係り合わせて嵌合状態を維持することができる。このとき、嵌合壁４４には、任意で割溝４８を設けておくことによって、嵌合がスムーズである。以上により床面フレーム１２に不透水性シート４２を装備し固定することができる。
一方、凹部４７の内周にめねじを設けるとともに、脚部１３の上端側外周に当該めねじに対応するおねじを設け、両者をネジ止めすることができる。
接続部４５を構成する材料は特に限定されないが、例えば硬質な樹脂材料を上記材料として選択することができる。また接続部４５は、周囲のシートと密着して脚部接続位置４３に設けられる。接続部４５を設けることによって完全に床面領域と水とが不透水性シートにより遮断されるため脚部１３が設けられる箇所において水が浸透することを防止することができる。
【００４６】
＜第四実施態様＞
次に本発明のベッドの第四実施態様について説明する。第四実施形態の本発明のベッドは、第一実施形態における袋体３（浮き袋４）を、異なる袋体（図７において袋体５１、５２として図示）に変更したこと以外は、第１実施態様と同様に実施することができる。
図７は、床面フレーム１２に本実施態様における袋体５１および袋体５２が装備された状態を説明するための説明図である。
第四実施形態は、ベッド本体２が縦長の形状であることが特定される。ここで、ベッド本体２が縦長であるとは、平面視にてベッド本体２が長辺と短辺とを持つ矩形または略矩形であることをいう。そして袋体５１、５２は、これらを浮き袋となしたときの、ベッド本体２の長辺から外方向への張り出し幅（図７中矢印ｘ）が、ベッド本体２の短辺から外方向への張り出し幅（図７中矢印ｙ）より大きいことを特徴とする。ベッド本体２の縦長比を勘案して浮き袋の張り出し方向の幅の大小を上述のとおり決定することによって、ベッド１の水に浮いた状態を良好に安定化させることが可能である。
【００４７】
袋体５１、５２には、それぞれ気体挿入口５３が設けられている。袋体５１、５２は、複数の取付ベルト５４が設けられており、これによって床面フレーム１２に固定されベッド本体２に装備されている。袋体５１、５２に関し、気体が挿入される前の袋体は、図１Ａに示す袋体３のように、下方に垂下していてよい。あるいは図１Ｂに示す袋体３のように、折り畳まれて収納部材８に収納されていてもよい。
【００４８】
図７には、第四実施態様における袋体（浮き袋）として、４つの独立した袋体５１、５２を示したが、第４実施形態はこれに限定されない。袋体５１、５２は、ベッド本体２の側周から外方向への張り出し幅が上述のとおり特定される範囲において、一連の袋体（浮き袋）であると個別独立した袋体（浮き袋）であることを問わない。
【００４９】
＜第五実施態様＞
次に本発明のベッドの第五実施態様について図８を用いて説明する。第五実施形態は、ベッドマット６３に袋体６４が装備された本発明の態様の一例である。
図８に示す本発明のベッド６１は、ベッドフレーム６２とベッドマット６３を備え、ベッドマット６３の内部に袋体６４を備える。ベッドマット６３に気体挿入口６５が設けられており、気体挿入口６５は、袋体６４と連通し、袋体６４内へ気体を挿入するための口となる。ベッド６１は下面に脚部６６を有し、これによって床面に支持されている。
ベッド６１は、通常時は袋体６４内には水などの液体が充填されており、体圧分散効果が発揮される（第一の状態）。そして、水害発生時には、袋体６４内の水抜きを行い、空いた容積部分に気体を挿入し、浮き袋となしてよい（第二の状態）。水抜きは、気体挿入口６５から行ってもよいし、異なる水抜き機構によって水抜きしてもよい。
【００５０】
［ベッド用浮き袋］
本発明のベッド用浮き袋は、ベッドに後付で取り付け、これによって、上述する第一の状態および第二の状態を可能とするものである。本発明のベッド用浮き袋は、既存のベッドに対し、簡易に水害対策を施すことができる。
【００５１】
＜第六実施形態＞
本発明のベッド用浮き袋は、たとえば図２に示す袋体３と同様であってよい。即ち、ベッド本体２に取り付けられるベッド用浮き袋（図１中では袋体３）であって、ベッド本体２に取り付けられるための取付ベルト７を有する。
ベッドに取り付けられたベッド用浮き袋（図１中では袋体３）に気体が吹き込まれることによって、内部に当該気体が充満する膨張状態となる。これによりベッド本体２の比重を下げ、人が乗った状態のベッド本体２を水に浮かべることを可能とすることを特徴とする。
【００５２】
＜第七実施形態＞
上記ベッド用浮き袋の異なる実施態様としては、たとえば図５に示す袋体４０と同様であってよい。即ち、ベッドフレーム５を備え、かつ、ベッドフレーム５の一部により区画される床面領域を含むベッド本体２に取り付けられるための浮き袋（図５中では袋体４０）であってよい。本実施形態のベッド用浮き袋は、床面領域の下面を覆うための不透水性シート４２を備え、不透水性シート４２の周縁部に浮き袋（図５中では袋体４０）が設けられている。不透水性シート４２、または不透水性シート４２および膨張した浮き袋（図５中の袋体４０を浮き袋となしたもの）で床面領域全面を被覆可能であることを特徴とする。
【００５３】
不透水性シート４２を備える本発明のベッド用浮き袋は、ベッドに取り付けたとき、ベッドの床面領域と水とを不透水性シート４２とにより遮蔽することができる。したがって、水害発生時に、人を乗った状態のベッド本体２を水に浮かべたとき、当該人が水と接触することを防止することができる。ベッド本体２が脚部１３を備える場合、不透水性シート４２と脚部との接続箇所は、水密構造とすることが好ましい。水密構造に関する説明は、本発明のベッドにおいて記載された事項と同様であるため、ここでは割愛する。
【００５４】
＜第八実施形態＞
次に本発明の第八実施形態について、図９から図１３を用いて説明する。図９Ａは第八実施形態にかかる本発明の浮き袋付きベッド２００（以下、「ベッド２００」ともいう）の斜視図であり、図９Ｂは第八実施形態にかかるベッド２００の裏面図である。図１０は、図９Ａに示すベッド２００の断面図であり、袋体２５０に気体が挿入されていない状態を示す。図１１は、第八実施形態におけるマットカバー２１０を上部２１０ａと下部２１０ｂに切り離した状態の斜視図である。図１２は、図９Ａに示すベッド２００の断面図であり、袋体２５０に気体が挿入されて浮き袋２５１をなす状態を示す。図１３は、第八実施形態にかかるベッド２００の使用の例を説明する斜視図である。図１３Ａはベッド２００としての使用状態を示し、図１３Ｂはマットカバー２１０を上部２１０ａと下部２１０ｂに切り離し袋体２５０に気体を挿入するときの状態を示し、図１３Ｃは袋体２５０に気体を挿入して浮き袋２５１となしたときの状態を示す。
【００５５】
ベッド２００は、マット２４０と、マットカバー２１０とを備えるベッド本体、および上記ベッド本体に装備された袋体２５０を備える浮き袋付きベッドである。ベッド２００は袋体２５０に気体を吹き込むことによって袋体２５０を浮き袋２５１となす。これにより浮き袋付きベッド２００の比重が下がり、上記ベッド本体に人が乗った状態で水に浮くものである。
【００５６】
本実施形態にかかるベッド２００は、ベッド本体としてマット２４０を備える。袋体２５０はマット２４０に沿って備えられている。
【００５７】
ベッド２００は、マット２４０が床に直接または間接に載置されて用いられる態様を含む。例えば図１３Ａに示すように、ベッド２００は、マットカバー２１０に覆われたマット２４０を直接に床面に載置してベッドとして使用することができる。あるいは図示省略するが、ベッド２００は、さらにベッドフレームなどの基台をベッド本体として備え、上記基台にマットカバー２１０に覆われたマット２４０が載置されて構成されてもよい。
災害などの緊急時に人が乗った状態のベッド本体を水に浮かべるなどのために、ベッド２００を屋外に運び出す際、少なくともマット２４０に沿って備えられている袋体２５０と、マット２４０と、を屋外に運び出すことができる。
【００５８】
本実施形態にかかるベッド２００は、マット２４０の側周面の全周に沿って袋体２５０を備える。ただし、マット２４０に対して袋体２５０が沿う位置は、マット２４０の底面または上面であってもよく、あるいは側周面、底面、および上面の組み合わせを含む任意の面に沿うことができる。また本発明は、側周面の全周に沿って、連続的に袋体が設けられる場合と、断続的に袋体が設けられる場合とを包含する。本発明において袋体が複数設けられる場合には、互いの袋体は、離散しないように直接又は間接に連結されていることが望ましい。
【００５９】
特に、ベッド２００は、上記ベッド本体としてマット２４０および袋体２５０を被覆する被覆体であるマットカバー２１０とを備えている。
マットカバー２１０で被覆されてなる被覆物は、マット２４０および袋体２５０がひとまとまとまりとなった構造であるため運搬時などにおける取り扱性が容易であり、簡易に屋外に運び出せることができる。
【００６０】
図９Ａおよび図１０に示すとおり、マットカバー２１０は、マット２４０（図１０）が載置される底面部４６０と、底面部４６０の端部から上方向に伸長する外壁部４１１と、外壁部４１１の上端から外壁部４１１に対し略水平方向に伸長する上面部４５０と、を備える。
外壁部４１１には全周に亘りファスナ３１０が設けられている。外壁部４１１は、ファスナ３１０により外壁部上部４１０と外壁部下部４２０とに区画される。外壁部４１１はファスナ３１０が全開することで、外壁部上部４１０と外壁部下部４２０とに分離される。また、図９Ｂに示すとおり、ベッド２００の底面部４６０には裏面ファスナ３２０が設けられている。マット２４０は、裏面ファスナ３２０を開くことでマットカバー２１０に対し出し入れされる。
【００６１】
本実施形態においてマット２４０は、ベッド用寝具として用いられる敷き布団を包含する。所謂、マット２４０は、マットレスと呼ばれる弾性を備える定型の部材を含むベッド用寝具を包含する。マット２４０の例としては、例えばスプリングマットレス、ウレタンフォームなどを使用するフォームマットレスなどの種々のマットを挙げることができる。また上記具体例に限定されず、本発明は、内部に気体や液体などの流体物を含み、流体物の流動性をマットの弾性として利用する部材も、マット２４０として包含する。
マット２４０は、ベッドフレーム、すのこ等の任意の枠組みの基台に載せて用いられるものであってもよいし、基台を用いずに、床上に載置して用いられるものであってもよい。またマット２４０は他のマットと積層してベッド本体を構成してもよい。
本発明の使用例としては、通常、上記ベッド２００は寝具として使用される。津波発生などの災害時には、ベッド２００においてマット２４０などのベッド本体を構成するいずれかの構成と袋体２５０を含んでひとまとまりとなった最少単位だけが屋外に運び出される。そして上記袋体に気体を挿入して浮き袋となすことにより、水に浮かせるための浮き袋付きベッドとして実施することができる。マット２４０とこれに沿う袋体２５０とがマットカバー２１０に被覆されなる被覆物は、上記最少単位として好ましい態様の一つである。
【００６２】
本実施形態では、袋体２５０は、マット２４０の側周面の全周に沿って設けられるリング形状である。ただし、袋体２５０の形状はこれに限定されないことは他の実施態様と同様である。袋体２５０は、一体不可分の１つの袋体２５０であってもよいし、複数の袋体２５０であって互いに離散しないよう連結されているものであってもよい。ここで一体不可分とは、物理的に一形状で構成されることを意味する。物理的に一形状である袋体２５０は、内部が連通する態様、および内部に分離した小袋体が複数内蔵されている態様を包含する。
【００６３】
ファスナ３１０、裏面ファスナ３２０、後述するファスナ３３０を含む、本実施形態において用いられるファスナは、繰り返し開閉可能な留め具の一例である。より具体的には、上記ファスナは、スナップボタンなどの点ファスナ、ジッパー（登録商標）やチャックなどの線ファスナ、マジックテープ（登録商標）などの面ファスナのいずれか、または組み合わせであってよく、また上記例示に限定されない。
【００６４】
尚、本実施形態のかかるベッド２００の変形例として、以下の態様を挙げることができる。即ち、ベッド２００は、ベッド本体としてマット２４０を被覆する被覆体を備える。このとき、上記被覆体は、マット２４０を収納するマット収納室と、内部の気体を密閉可能な気体挿入室と、を備えていてもよい。上記気体挿入室は気体を吹き込まれることによって上記浮き袋となる上記袋体となる。
つまり、被覆体の一部が袋体となる構成を本発明は包含する。これによって浮き袋付きベッドの構造を簡易にすることができる。
【００６５】
マット収納室２７０は、外壁部４１１より内側に設けられた内壁部４１２、上面部４５０および底面部４６０により構成される。マット収納室２７０に収納されたマット２４０は、底面部４６０に設けられた裏面ファスナ３２０を開放することにより出し入れすることができる。
袋体収納室２６０は、内壁部４１２、外壁部４１１、上面部４５０および底面部４６０により構成される。袋体収納室２６０に収納された袋体２５０は上端が、上面部４５０の内側面に接合されている。
内壁部４１２の下端側には内壁部４１２の全周に亘りファスナ３３０が設けられている。内壁部４１２は、ファスナ３３０を全開することにより内壁部上部４３０と内壁部下部４４０とに分離される。
【００６６】
本実施形態におけるベッド２００は、袋体２５０を浮き袋２５１となしたとき、ベッド本体の少なくとも一部と浮き袋２５１とを備え、当該ベッド本体に人が乗った状態で水に浮くものである。本発明は、ベッド２００が人間を乗せた状態で水に浮くとき、ベッド本体を構成する全ての部材と浮き袋２５１とを有する態様、およびベッド本体を構成するいずれか１つまたは２以上の部材と浮き袋２５１とを有する態様を包含する。
例えば、ベッド２００は、人間が乗った状態で水に浮くとき、マット２４０、マットカバー２１０および浮き袋２５１を備えて水に浮く態様であってよい。マット２４０を備えた状態で水に浮く態様では、マット２４０が後述する床部２５２を支持する支持部材となり、床部２５２を安定させることができる。あるいは、ベッド２００は、人間が乗った状態で水に浮くとき、マット２４０は脱離し、マットカバー２１０および浮き袋２５１を備えて水に浮く態様であってもよい。マット２４０が離脱することにより、水に浮くベッド２００の重量を軽量化することができる。
【００６７】
図１０に示すとおり、被覆体であるマットカバー２１０は、袋体２５０を収納する袋体収納室２６０およびマット２４０を収納するマット収納室２７０を備える。
かかる構成によれば、マットカバー２１０においてマット２４０を出し入れする際に、袋体２５０が邪魔にならず、出し入れがスムーズである。また袋体２５０が袋体収納室２６０に収納されていることによって、マット２４０の出し入れの際に袋体２５０が物理的接触を受けて損傷することを避けることができる。
【００６８】
マット収納室２７０は、外壁部４１１より内側に設けられた内壁部４１２、上面部４５０および底面部４６０により構成される。マット収納室２７０に収納されたマット２４０は、底面部４６０に設けられた裏面ファスナ３２０を開放することにより出し入れすることができる。
袋体収納室２６０は、内壁部４１２、外壁部４１１、上面部４５０および底面部４６０により構成される。袋体収納室２６０に収納された袋体２５０は上端が、上面部４５０の内側面に接合されている。これによって袋体２５０が浮き袋２５１となったとき、マットカバー２１０は浮き袋２５１と一体となって水に浮くことができる。
本実施形態では、上述のとおり内壁部４１２の下端側には内壁部４１２の全周に亘りファスナ３３０が設けられている。内壁部４１２は、ファスナ３３０を全開することにより内壁部上部４３０と内壁部下部４４０とに分離することができる。
【００６９】
マットカバー２１０の主たる構造を図１１に示す。図１１は、ファスナ３１０およびファスナ３３０を全開し、マットカバー２１０を上部２１０ａと下部２１０ｂとの分離したときの斜視図である。図１１は袋体２５０を図示省略し、またマット２４０を収納していない状態を示す。図１１においてファスナ３１０を構成する一方側のファスナ部３１０ａを外壁部上部４１０の下端に示し、他方側のファスナ部３１０ｂを外壁部下部４２０の上端に示す。また、図１１においてファスナ３３０を構成する一方側のファスナ部３３０ａを内壁部上部４３０の下端に示し、他方側のファスナ部３３０ｂを内壁部下部４４０の上端に示す。
図１１から理解容易なとおり、マットカバー２１０は、二重室構造となっている。上記二重室構造は、マットカバー２１０の内部において、区画されたマット収納室２７０と袋体収納室２６０を備える（図１０）。
ただし、マットカバー２１０を備える本実施形態において、マットカバー２１０は上記二重室構造を備える態様に限定されるものではない。本実施形態は、マットカバー２１０の内部においてマット２４０と袋体２５０とが隔たりの空間に同包される態様を含む。
【００７０】
上記二重室構造は、共通の上面として上面部４５０を有し、かつ共通の下面として底面部４６０を有する。そして内壁部４１２により二室が隔離されるとともに、マット収納室２７０が構成される。加えて、外壁部４１１と内壁部４１２を側面として袋体収納室２６０が構成される。上記二重室構造において、外壁部４１１の側壁全周にファスナ３１０が設けられることにより、外壁部４１１を外壁部上部４１０と外壁部下部４２０とに分離可能である。また内壁部４１２の側壁全周にファスナ３３０が設けられることによって、内壁部４１２を内壁部上部４３０と内壁部下部４４０とに分離可能である。したがって、ファスナ３１０およびファスナ３３０を備えることにより、マットカバー２１０は、上部２１０ａと下部２１０ｂとに分離可能である（図１１）。
【００７１】
外壁部４１１に設けられたファスナ３１０を開放することにより、袋体収納室２６０が外部方向に開放される。したがって、袋体２５０に気体が挿入されて浮き袋２５１となすとき、浮き袋２５１は外部方向に向かって容易に膨張することができる。
ファスナ３１０は、袋体２５０が膨張して浮き袋２５１となるとき、膨張のための空間を確保するための構成としても作用する。
【００７２】
即ち、ベッド２００は、袋体収納室２６０は袋体２５０と袋体収納室２６０の外部とを遮蔽する壁部（外壁部４１１）を有する。上記壁部（外壁部４１１）は袋体２５０を浮き袋２５１となすとき浮き袋２５１の膨張方向を開放する開放部（ファスナ３１０）を備えることができる。
【００７３】
上記壁部は外壁部４１１に限定されず、袋体収納室２６０の任意の壁部であってよい。例えば本実施形態において上記壁部は、外壁部４１１、内壁部４１２、袋体収納室２６０を構成する上面部４５０および底面部４６０のいずれかまたは組み合わせであってよい。
上記開放部は、上記壁部において浮き袋２５１の膨張方向を開放する。開放部の一つの例としては、外部と連通する開口部を形成して浮き袋２５１の膨張方向を開放する構成が挙げられる。より具体的には例えば上記開放部は、ファスナ３１０である。開放部の他の例としては、袋体２５０が膨張するときの圧力を受けて外部方向に壁部を伸長し実質的に袋体収納室２６０の体積を拡張させることができる構成が挙げられる。かかる構成の具体的な例としては、壁部の任意の領域に設けられた肉薄部、あるいは壁部の任意の領域に設けられた可撓性の材料で形成される可撓性部などを挙げることができる。上記肉薄部または上記可撓性部は、袋体収納室２６０の内部において袋体２５０が膨張して浮き袋２５１となるとき、膨張の圧力を受けて膨張方向に伸長可能な領域である。上記肉薄部または上記可撓性部は、伸長した結果、破断してもよい。破断した箇所から外側に向けて袋体２５０は膨張可能である。
【００７４】
ファスナ３３０は、ファスナ３１０を開放することによって操作することができる。本実施形態において、裏面ファスナ３２０を省略し、ファスナ３３０の開閉によってマット２４０をマットカバー２１０から出し入れすることも可能である。
またファスナ３１０およびファスナ３３０の２つを備えることによって、これらを開放したときマットカバー２１０の下部２１０ｂをベッド２００から切り離すことができる。ベッド２００を水に浮かべるときに、下部２１０ｂをベッド２００から切り離すことによってベッド２００の軽量化が図られる。
また下部２１０ｂをベッド２００から切り離すことによって、ベッド２００を水に浮かべる前にマット２４０を容易に取り外すことができる。
あるいは下部２１０ｂをベッド２００から切り離すことによって、マットカバー２１０の下部が開放された状態であることから、ベッド２００を水に浮かべたときに水を吸って重くなったマット２４０が水中において下方に脱落させることも可能である。
ただしベッド２００は、袋体２５０に気体が挿入されることによって浮き袋２５１となり、人間を乗せた状態で水に浮かぶ範囲において、いずれかまた全てのファスナを省略することもできる。
またベッド２００は、ファスナ３１０を開放して袋体２５０を膨張させて浮き袋２５１となし、かつ裏面ファスナ３２０を開放した状態で水に浮かばせることもできる。このとき、水に浮かばせる前にマット２４０をベッド２００から取り出してよい。あるいは、ベッド２００が水に浮かんだ状態で、裏面ファスナ３２０により開口された底面部４６０からマット２４０を水中に脱落させることも可能である。
【００７５】
本実施形態にかかるベッド２００は、袋体２５０を浮き袋２５１となしたとき、浮き袋２５１で囲まれてなる面に不透水性の部材により構成される床部２５２が設けられている（図１２）。
図１２は、マットカバー２１０が、上部２１０ａと図示省略する下部２１０ｂとに切り離された状態を示す。図１２に示されるベッド２００は、袋体２５０に気体が挿入されて浮き袋２５１となした状態である。切り離された下部２１０ｂは図示省略されている。
図１２において、マット２４０の周囲に沿って設けられた袋体２５０は膨張して浮き輪状態である。袋体収納室２６０が開放部（図１０に示すファスナ３１０）において開放され、袋体２５０は外側方向に膨張している。またマット２４０が弾性体であるため、袋体２５０の膨張の一部は内側方向にも向いている。袋体２５０が内側方向の膨張することにより、マット２４０は外周において圧迫されて内側方向に収縮している。マット２４０は、リング状の浮き袋２５１の内側面において挟持されている。
また本実施形態は、ファスナ３３０を省略し、下部２１０ｂ（図１１）を切り離さずに、上部２１０ａおよび下部２１０ｂを備えた状態で水に浮く態様を含む。
【００７６】
本実施形態の変形例としては、袋体２５０の形状または取付位置を変更することにより、袋体２５０の膨張の圧力を利用して、マット２４０を下方向へ押圧することもできる。上記変形例は、袋体２５０の形状または取付位置を変更に即して、マット２４０の形状および位置をさらに変更してもよい。例えば図示省略するベッド２００の変形例は、マット２４０の上端において、マット２４０の側面からマット２４０の上端面の内方向に向けて傾斜するテーパーが設けられるとともに、当該テーパーに沿って袋体２５０が設けられる。かかる変形例は、袋体２５０が膨張して浮き袋２５１となすとき、膨張する袋体２５０が上記テーパー面を下方向へ押圧することが可能である。上記変形例は、マット２４０が下方向に押しやられることにより、マット２４０をベッド２００から離脱させることが可能である。
【００７７】
図１２に示すとおり、本実施形態にかかるベッド２００において、被覆体であるマットカバー２１０は床部２５２を含んでいる。即ち、床部２５２はマットカバー２１０の一部を構成している。本実施形態では、マットカバー２１０の上面部４５０が床部２５２となっている。床部２５２は不透水性の部材より構成されているため、ベッド２００は、ちょうど人間が横たわる面である上面部４５０が不透水性となっている。
ベッド２００は、床部２５２の外縁においてマットカバー２１０と浮き袋２５１とが接合されている。
【００７８】
床部２５２の外縁においてマットカバー２１０と浮き袋２５１とが接合されることにより、ベッド本体を構成するマットカバー２１０と浮き袋２５１とを一体的に水に浮かせることができる。尚、図示省略するが、浮き袋２５１の頂点よりも下方において浮き袋２５１と床部２５２の外縁とを接合させることにより、浮き袋２５１が水面と床部２５２との間を遮蔽する壁となりうる。かかる構成によれば浮き袋２５１を超えて水が床部２５２の上に浸水することを防止可能である。
【００７９】
次に図１３を用いてベッド２００の使用態様について説明する。
図１３Ａに示すとおり、図１３Ａは、ベッド２００がベッドとして使用されるときの状態を示す。床部２５２（上面部４５０）の上に直接または間接に人間５００が横たわっている。図１３に示すベッド２００は、床面に直接に載置されて寝具として使用される。
図１３Ｂを用いて、ベッド２００を水に浮かばせる状態とするための準備段階について説明する。ベッド２００は、袋体２５０を浮き袋２５１となす前後において屋外に運び出されることが好ましい。ベッド２００を運び出す際、ベッド本体のすべての構成および袋体２５０を備えて運び出してもよいし、あるいはベッド本体の一部の構成および袋体２５０を備えて運び出してもよい。
ベッド２００は、まずファスナ３１０が全開され、次いでファスナ３３０が全開される。これにより上部２１０ａと下部２１０ｂとが分離する。図中、開放されて分離したファスナ３１０の一方を３１０ａ、他方を３１０ｂとして示す。また図中、開放されて分離したファスナ３３０の一方を３３０ａ、他方を３３０ｂとして示す。
上部２１０ａと下部２１０ｂとが分離した状態で、袋体２５０に気体を挿入する。袋体２５０は図示省略する気体挿入口を備える。気体挿入口にガスボンベ４８０の吹き出し口を接合して、袋体２５０に気体を挿入する。尚、本実施形態では、ガスボンベ４８０により袋体２５０に気体を挿入する例を示したが、気体の挿入手段はこれに限定されない。気体の挿入手段は、他の実施例において説明する手段を適宜適用することができる。
図１３Ｃは、袋体２５０に気体が挿入されて浮き袋２５１をなした状態である。このとき人間５００を乗せた状態でベッド２００は水に浮くことができる。ベッド２００は、マット２４０を備えた状態で水に浮く場合、マット２４０が取り外された状態で水に浮く場合、マット２４０を備えた状態で水に浮き、その後にマット２４０がベッド本体から脱落する場合のいずれも包含する。換言すると、ベッド２００が水に浮かぶときに想定される状態に応じて、袋体２５０の容積を決定することができる。ベッド２００に複数人の成人が乗った状態でベッド２００を水に浮かばせることを想定する場合には、想定人数、水に浮かんだときに備えるベッド本体の各構成、袋体などの重量を勘案し、袋体２５０の容積を決定する。
尚、床部２５２が可撓性部材で構成される場合、図１３Ｃに示す状態では、床部２５２は人間５００の重みで下方に湾曲してもよい。高さ方向において、床部２５２の最も低い位置よりも浮き袋２５１の頂点の位置が上にある場合、ベッド２００はボート様の状態で使用することが可能である。
【００８０】
［浮き袋付きマット被覆体］
次に本発明の浮き袋付きマット被覆体について説明する。
本発明の浮き袋付きマット被覆体は、ベッド本体を構成するマット２４０を被覆する被覆体（マットカバー２１０）である。
被覆体（マットカバー２１０）は、マット２４０を収納するマット収納室２７０と、袋体２５０を収納する袋体収納室２６０と、を有する。袋体２５０は、気体が吹き込まれることによって膨張して浮き袋２５１となる。浮き袋２５１を備える被覆体（マットカバー２１０）は、上に人間５００が乗った状態で水に浮く浮き袋付きマット被覆体である。
上記浮き袋付きベッド被覆体は、図９から図１３において示される、浮き袋２５１の一部と被覆体（マットカバー２１０）とが接合されて一体的に構成された構成物である。
【００８１】
図示省略する、異なる態様の浮き袋付きマット被覆体について説明する。
異なる態様の浮き袋付きマット被覆体は、ベッド本体を構成するマット２４０を被覆する被覆体である。
上記被覆体は、マット２４０を収納するマット収納室２７０と、内部の気体を密閉可能な気体挿入室と、を有する。上記気体挿入室に気体が吹き込まれることによって上記気体挿入室が浮き袋２５１となる。上記被覆体は、上記浮き袋２５１を備える被覆体（マットカバー２１０）の上に人間５００が乗った状態で水に浮く異なる態様の浮き袋付きマット被覆体である。
【００８２】
上述する本発明の浮き袋付きマット被覆体の各構成は、本発明の浮き袋付きベッドにおいて説明される各構成を適宜適用することができるため、その詳細の説明は割愛する。
本発明の浮き袋付きマット被覆体は、マット収納室を備えており、当該マット収納室に任意のマットを収納することによって、容易に浮き袋付きベッドを構成することができる。
本発明の浮き袋付きマット被覆体は、マットを使用する寝具に対し後付で用いられることができ、通常はマットの被覆体（マットカバー）として使用され、津波などの災害発生時には、浮き袋付きベッドを提供することができる。
【００８３】
第八実施形態における被覆体（マットカバー２１０）および本発明の浮き袋付きマット被覆体は、底面部４６０の一部または全部を省略する態様を含む。尚、本段落において、第八実施形態における被覆体（マットカバー２１０）および本発明の浮き袋付きマット被覆体を、総称してマット被覆体と呼ぶ場合がある。
即ち、マット被覆体は、底面部４６０の一部または全部を省略し、底面の側に開口部を有してもよい。当該開口部分からマット２４０を挿入し、あるいはマット２４０に被せることによって、マット２４０を被覆体で被覆することができる。
上記開口部を設けることによって、ファスナの開け閉めをすることなく、容易にマット２４０に対し被覆体を装着しまたは取り外すことができる。
上記開口部には、被覆体で被覆されたマット２４０の被覆状態を安定させるために、適宜、止め部材を設けることができる。止め部材は、開口部の周縁から開口方向に伸長する部材であって、マット２４０と当接することにより、開口部からマット２４０が離脱することを妨げる部材である。たとえば、止め部材として、開口部の周縁の任意の一端から任意の他端に架け渡し可能なバンド部材を例示することができるが、これに限定されない。バンド部材は、ゴム部材、紐部材、バックルなどを例示することができる。バンド部材は、周縁の任意の一端から任意の他端において連続的に架け渡した状態と、バンド部材の一部、あるいはバンド部材と開口部の周縁と、が離間した状態とを取り得ること望ましい。バンド部材が上記離間した状態において、マット２４０に被覆体を被覆させることによりマット２４０に対する被覆体の装着を容易にすることができる。またマット２４０に被覆体を被覆させた後、バンド部材を上記連続的に架け渡した状態とすることによって、マット２４０に対する被覆体の被覆状態を安定させることができる。
【００８４】
なお、本発明は上述の実施形態に限定されるものではなく、本発明の目的が達成される限りにおける種々の変形、改良等の態様も含む。また本発明における袋体、本発明のベッド用浮き袋、および本発明の浮き袋付きマット被覆体を構成する材料は特に限定されない。たとえば袋体に相当する構成は、一般的なゴムボートに使用されるゴム材料などが一つの好適な例として挙げられるが、本発明の趣旨を逸脱しない範囲において、上記材料は適宜選択されてよい。
【００８５】
以上に説明する本発明のベッドにおける浮き袋、本発明のベッド用浮き袋、または本発明の浮き袋付きマット被覆体には、その外周に把持部を設けてもよい。当該把持部は、本発明のベッドまたは本発明のベッド用浮き袋が取り付けられたベッドが水に浮かんだとき、当該ベッドの周囲にいる人間がつかまることができる形状であればよい。たとえば、取っ手、あるいは把持用のロープなどが浮き袋の外周に設けられていることが想定されるが、具体的形状はこれに限定されない。当該把持部を備えることによって、水に浮かんだベッドは、水中にいる人間の避難具の役割をも果たし得るため、水害発生時の人命保護観点から有用である。
さらに本発明のベッドは、水に浮かぶベッド上での避難が長引く可能性を想定し、ベッドに水、非常用食料、医薬品、懐中電灯などの避難グッズをあらかじめ備えておいてよい。また、ベッドに位置情報自動発信機を備えておくことにより、海上などに漂流した場合の避難を容易にする。これらの備えにより、水害発生時に本発明のベッドの上で避難する人間の生命維持のみならず精神的なゆとりの付与という効果が期待される。
【００８６】
上記実施形態は、以下の技術思想を包含するものである。
（１）ベッド本体と、
前記ベッド本体に装備された袋体と、を備える浮き袋付きベッドであって、
前記袋体に気体を吹き込むことによって当該袋体を浮き袋となし、
これにより前記浮き袋付きベッドの比重が下がり、前記ベッド本体に人が乗った状態で水に浮くことを特徴とする浮き袋付きベッド。
（２）前記ベッド本体はマットを備え、
前記袋体が前記マットに沿って備えられていることを特徴とする上記（１）に記載の浮き袋付きベッド。
（３）前記ベッド本体は前記マットおよび前記袋体を被覆する被覆体を備える上記（２）に記載の浮き袋付きベッド。
（４）前記ベッド本体は前記マットを被覆する被覆体を備え、
前記被覆体は前記マットを収納するマット収納室と、内部の気体を密閉可能な気体挿入室と、を有し、
前記気体挿入室は気体を吹き込まれることによって前記浮き袋となる前記袋体である上記（２）に記載の浮き袋付きベッド。
（５）前記袋体を前記浮き袋となしたとき、
前記浮き袋付きベッドは、前記ベッド本体の少なくとも一部と前記浮き袋とを備え、当該ベッド本体に人が乗った状態で水に浮く上記（３）または（４）に記載の浮き袋付きベッド。
（６）前記袋体を前記浮き袋となしたとき、
前記浮き袋で囲まれてなる面に不透水性の部材により構成される床部が設けられている上記（３）から（５）のいずれか一項に記載の浮き袋付きベッド。
（７）前記被覆体は前記床部を含み、前記床部の外縁において前記被覆体と前記浮き袋とが接合されている上記（６）に記載の浮き袋付きベッド。
（８）前記被覆体は、前記袋体を収納する袋体収納室および前記マットを収納するマット収納室を備える上記（３）、（５）から（７）のいずれか一項に記載の浮き袋付きベッド。
（９）前記袋体収納室は前記袋体と前記袋体収納室の外部とを遮蔽する壁部を有し、
前記壁部は前記袋体を前記浮き袋となすとき前記浮き袋の膨張方向を開放する開放部を有する上記（８）に記載の浮き袋付きベッド。
（１０）ベッド本体を構成するマットを被覆する被覆体であって、
前記マットを収納するマット収納室と、袋体を収納する袋体収納室と、を有し、
前記袋体は、気体が吹き込まれることによって膨張して浮き袋となり、
前記浮き袋を備える前記被覆体の上に人が乗った状態で水に浮くことを特徴とする浮き袋付きマット被覆体。
（１１）ベッド本体を構成するマットを被覆する被覆体であって、
前記マットを収納するマット収納室と、内部の気体を密閉可能な気体挿入室と、を有し、
前記気体挿入室に気体を吹き込まれることによって前記気体挿入室が浮き袋となり、
前記浮き袋を備える前記被覆体の上に人が乗った状態で水に浮くことを特徴とする浮き袋付きマット被覆体。
（１２）
前記ベッド本体は、ベッドフレームを備え、
前記袋体が、前記ベッドフレームに装備されていることを特徴とする上記（１）に記載の浮き袋付きベッド。
（１３）前記袋体は、前記ベッド本体の側周の同じ高さを取り囲む位置で連続的または断続的に備えられており、
前記浮き袋が、前記ベッド本体の前記側周を連続的または断続的に取り囲むことを特徴とする上記（１）または（１２）に記載の浮き袋付きベッド。
（１４）前記ベッド本体が縦長の形状であって、
前記浮き袋は、前記ベッド本体の長辺から外方向への張り出し幅が、前記ベッド本体の短辺から外方向への張り出しより大きいことを特徴とする上記（１）、（１２）、（１３）のいずれか一項に記載の浮き袋付きベッド。
（１５）前記浮き袋が、前記ベッド本体の前記側周を取り囲む一連のリング形状であり、
前記ベッド本体は、人が横たわるための床面を備えており、
前記浮き袋の頂点が、前記床面より上位に位置することを特徴とする上記（１）、（１２）から（１４）のいずれか一項に記載の浮き袋付きベッド。
（１６）前記ベッド本体は、ベッドフレームを備えており、
前記ベッドフレームに直接または間接に連続して設けられて前記ベッド本体を支持する複数の脚部を有し、
前記脚部の下端には回転車が設けられていることを特徴とする上記（１）、（１２）から（１５）のいずれか一項に記載の浮き袋付きベッド。
（１７）前記脚部は、折り曲げ可能なもしくは分離可能な関節部を有し、前記関節部は、非折り曲げ状態もしくは非分離状態を維持可能とする固定手段を備え、上記固定手段の解除によって、折り曲げ可能もしくは分離可能とすることを特徴とする上記（１６）に記載の浮き袋付きベッド。
（１８）前記ベッド本体は、ベッドフレームを備えており、
前記ベッド本体は、前記ベッドフレームの一部により区画される床面領域を含み、前記床面領域内あるいは前記床面領域上に前記床面を備えており、
前記床面領域は、下面側から不透水性シートにより覆われており、
前記袋体は、前記不透水性シートの周縁部に設けられており、
前記不透水性シート、または前記不透水性シートおよび膨張した前記浮き袋で前記床面領域全面が被覆されることを特徴とする上記（１）、（１２）から（１７）のいずれか一項に記載の浮き袋付きベッド。
（１９）前記脚部が前記不透水性シートよりも下方に突出して設けられており、
前記脚部と前記不透水性シートとが水密に接続されていることを特徴とする上記（１６）または（１７）を引用する、上記（１８）に記載の浮き袋付きベッド。
（２０）手動動作を感知し電気信号を発信する電気信号発信手段と、前記電気信号を感知することによって作動する点火手段と、前記点火手段の作動により気体を準備する気体準備手段を備え、
前記袋体に、前記気体準備手段により準備された気体を吹き込むことによって浮き袋となすことを特徴とする上記（１）、（１２）から（１９）のいずれか一項に記載の浮き袋付きベッド。
（２１）ベッド本体に取り付けられる浮き袋であって、
前記ベッド本体に取り付けられるための取り付け部を有し、
気体が吹き込まれることによって内部に当該気体の充満する膨張状態となり、
これにより前記ベッド本体の比重を下げ、人が乗った状態の前記ベッド本体を水に浮かべることを可能とすることを特徴とするベッド用浮き袋。
（２２）ベッドフレームを備え、且つ、前記ベッドフレームの一部により区画される床面領域を含む前記ベッド本体に取り付けられるための前記浮き袋であって、
前記床面領域の下面を覆うための不透水性シートを備え、前記不透水性シートの周縁部に前記浮き袋が設けられており、
前記不透水性シート、または前記不透水性シートおよび膨張した前記浮き袋で前記床面領域全面を被覆可能であることを特徴とする上記（２１）に記載のベッド用浮き袋。
【符号の説明】
【００８７】
１・・・ベッド、２・・・ベッド本体、３・・・袋体、３ａ・・・気体挿入部、３ｂ・・・接着部、４・・・浮き袋、５・・・ベッドフレーム、６・・・マット、７・・・取付ベルト、７ａ,７ｂ・・・面ファスナ、８・・・収納部材、８ａ・・・取付部材、９・・・結束ベルト、１０・・・気体挿入口、１１・・・柵部フレーム、１２,１２ａ,１２ｂ・・・床面フレーム、１３・・・脚部、１４・・・回転車、１５・・・ストッパー、２０,２０ａ,２０ｂ・・・人体固定用ベルト、３１・・・脚部、３２・・・上側脚部、３３・・・下側脚部、４０・・・袋体、４２・・・不透水性シート、４３・・・脚部接続位置、４４・・・嵌合壁、４５・・・接続部、４６,４７・・・凹部、４８・・・割溝、５１,５２・・・袋体、５３・・・気体挿入口、５４・・・取付ベルト、６１・・・ベッド、６２・・・ベッドフレーム、６３・・・ベッドマット、６４・・・袋体、６５・・・気体挿入口、６６・・・脚部、１０１,１０２・・・当接部、１０３・・・ボール部、１０４・・・ボール受け部、１０５・・・締め付け用ナット、１０６・・・関節部、１１１・・・凸部、１１２・・・凹部、１１３・・・関節部、２００・・・浮き袋付きベッド、２１０・・・マットカバー、２１０ａ・・・上部、２１０ｂ・・・下部、２４０・・・マット、２５０・・・袋体、２５１・・・浮き袋、２５２・・・床部、２６０・・・袋体収納室、２７０・・・マット収納室、３１０・・・ファスナ、３１０ａ・・・ファスナ部、３１０ｂ・・・ファスナ部、３２０・・・裏面ファスナ、３３０・・・ファスナ、３３０ａ・・・ファスナ部、３３０ｂ・・・ファスナ部、４１０・・・外壁部上部、４１１・・・外壁部、４１２・・・内壁部、４２０・・・外壁部下部、４３０・・・内壁部上部、４４０・・・内壁部下部、４５０・・・上面部、４６０・・・底面部、４８０・・・ガスボンベ、５００・・・人間
【図１】
2014113439.tif 000003
【図２】
2014113439.tif 000004
【図３】
2014113439.tif 000005
【図４】
2014113439.tif 000006
【図５】
2014113439.tif 000007
【図６】
2014113439.tif 000008
【図７】
2014113439.tif 000009
【図８】
2014113439.tif 000010
【図９】
2014113439.tif 000011
【図１０】
2014113439.tif 000012
【図１１】
2014113439.tif 000013
【図１２】
2014113439.tif 000014
【図１３】
2014113439.tif 000015